(57)【要約】【課題】シンプルな蓋の開閉機構を備える蓋開閉式浸透印面スタンプを提供する。【解決手段】スタンプボディ１０と、前記スタンプボディに対して進退移動可能に設けられ、一端に開口部２１が形成されたホルダカバー２０と、一端が前記スタンプボディに固定され、他端が前記ホルダカバー内に延在するホルダ１１と、前記ホルダの他端に設けられ、前記ホルダカバー内に収納された浸透印面１２と、前記スタンプボディ内に設けられ、前記ホルダカバーを前記スタンプボディから離反するように付勢するバネ１３と、前記ホルダカバー内に設けられ、前記開口部を閉塞する位置と開放する位置との間を摺動可能に設けられた蛇腹状シャッタ２２と、前記ホルダに形成された第１ラック３１と、前記シャッタに形成された第２ラック３２と、前記ホルダカバーに軸支され前記第１ラックと前記第２ラックとに噛み合うピニオン３３と、を含む蓋開閉機構３０と、を備える。【選択図】  図５
2015006773.tif 000002
【特許請求の範囲】
【請求項１】
スタンプボディと、
前記スタンプボディに対して進退移動可能に設けられ、一端に開口部が形成されたホルダカバーと、
一端が前記スタンプボディに固定され、他端が前記ホルダカバー内に延在するホルダと、
前記ホルダの他端に設けられ、前記ホルダカバー内に収納された浸透印面と、
前記スタンプボディ内に設けられ、前記ホルダカバーを前記スタンプボディから離反するように付勢するバネと、
前記ホルダカバー内に設けられ、前記開口部を閉塞する位置と開放する位置との間を摺動可能に設けられた蛇腹状シャッタと、
前記ホルダに形成された第１ラックと、前記シャッタに形成された第２ラックと、前記ホルダカバーに軸支され前記第１ラックと前記第２ラックとに噛み合うピニオンと、を含む蓋開閉機構と、
を備えた蓋開閉式浸透印面スタンプ。
【請求項２】
前記ホルダカバーは、透明な材料で形成されている請求項１記載の蓋開閉式浸透印面スタンプ。
【請求項３】
前記蓋開閉機構は、前記シャッタを、
前記スタンプボディと前記ホルダカバーが離反位置にある場合には前記開口部を全閉する位置に移動させ、
前記スタンプボディと前記ホルダカバーとが接近するにしたがって前記開口部を徐々に開放する位置に移動させ、
前記スタンプボディと前記ホルダカバーとが接近して前記浸透印面が前記開口部から露出する場合には前記開口部を全開する位置に移動させる請求項１記載の蓋開閉式浸透印面スタンプ。
【発明の詳細な説明】
【技術分野】
【０００１】
本発明は、蓋開閉式浸透印面スタンプに関するものである。
【背景技術】
【０００２】
いわゆる浸透印面材を用いたスタンプにおいて、不使用時には印面を覆う蓋を、使用時には捺印動作に連動して回動するように構成した蓋開閉式のスタンプが知られている（特許文献１）。
【先行技術文献】
【特許文献】
【０００３】
【特許文献１】特開２００６−９６００３号公報
【発明の概要】
【発明が解決しようとする課題】
【０００４】
しかしながら、上述した従来の蓋開閉式スタンプでは、捺印時には蓋がスタンプの外側に回動するため、たとえば被捺印面が狭小な部分である場合には蓋と被捺印面の周囲が干渉して捺印できないといった問題がある。
【０００５】
本発明が解決しようとする課題は、シンプルな蓋の開閉機構を備える蓋開閉式浸透印面スタンプを提供することである。
【課題を解決するための手段】
【０００６】
本発明の蓋開閉式浸透印面スタンプは、スタンプボディと、前記スタンプボディに対して進退移動可能に設けられ、一端に開口部が形成されたホルダカバーと、一端が前記スタンプボディに固定され、他端が前記ホルダカバー内に延在するホルダと、前記ホルダの他端に設けられ、前記ホルダカバー内に収納された浸透印面と、前記スタンプボディ内に設けられ、前記ホルダカバーを前記スタンプボディから離反するように付勢するバネと、前記ホルダカバー内に設けられ、前記開口部を閉塞する位置と開放する位置との間を摺動可能に設けられた蛇腹状シャッタと、前記ホルダに形成された第１ラックと、前記シャッタに形成された第２ラックと、前記ホルダカバーに軸支され前記第１ラックと前記第２ラックとに噛み合うピニオンと、を含む蓋開閉機構と、を備えたことを特徴とする。
【発明の効果】
【０００７】
本発明によれば、浸透印面を閉塞する蓋を蛇腹状シャッタで構成するとともに、このシャッタを開閉する蓋開閉機構をスタンプボディとホルダカバーとの相対移動により作動するラック＆ピニオンで構成したので、回動式蓋に比べてシンプルな構造とすることができる。
【図面の簡単な説明】
【０００８】
【図１】本発明の一実施の形態に係る蓋開閉式浸透印面スタンプを示す斜視図である。
【図２】図１の蓋開閉式浸透印面スタンプのII矢視図である。
【図３】図１の蓋開閉式浸透印面スタンプのIII矢視図である。
【図４】図１の蓋開閉式浸透印面スタンプのIV矢視図である。
【図５】図１の蓋開閉式浸透印面スタンプの捺印動作を示すII矢視図である。
【発明を実施するための形態】
【０００９】
以下、本発明の実施形態を図面に基づいて説明する。
本例の蓋開閉式浸透印面スタンプ１（以下、単にスタンプ１ともいう）は、スタンプボディ１０と、このスタンプボディ１０に対して進退移動可能に設けられ、一端に開口部２１が形成されたホルダカバー２０と、を備える。
【００１０】
スタンプボディ１０は、プラスチックなどの透明または着色材料で有底筒状に成形され、開放端１４側にホルダカバー２０を受容し、閉塞端１５にはエンドキャップ１６が装着されている。閉塞端１４には通孔１７が形成され、ここに後述するホルダ１１の一端が係止される。
【００１１】
ホルダカバー２０は、プラスチックなどの透明材料で有底筒状に成形され、一端に開口部２１が形成され、他端に第１底部２３と第２底部２４が形成されている。そして、開口部２１は後述するシャッタ２２によって開閉されるとともに、シャッタ２２が後退すると印面１２が開口部２１から露出することになる。また、他端の第１底部２３にはホルダ１１の他端が貫通する通孔（不図示）が形成されるとともに、ホルダ１１の印面装着部１７が受容される。また、他端の第２底部２４には同じくホルダ１１が貫通する通孔（不図示）が形成されるとともに、後述するコイルばね１３の一端を支持する。
【００１２】
ホルダ１１は、一端がスタンプボディ１０の通孔１７に係止固定され、他端の印面装着部１８がホルダカバー２０内の第１底部２３を貫通して延在する。また、コイルバネ１３は、スタンプボディ１０内に設けられ、ホルダカバー２０をスタンプボディ１０から離反するように弾性付勢するが、ホルダ１１の一端がスタンプボディ１０の通孔１７に係止され、他端がホルダカバー２０の第１底部２３に受容されているので、これらがストッパとなり、スタンプボディ１０とホルダカバー２０は図２に示す状態より離反しないようになっている。
【００１３】
すなわち、図２に示す状態でスタンプボディ１０を把持し、ホルダカバー２０の開口部２１の端部を被捺印面に押し付けると、スタンプボディ１０とホルダカバー２０はコイルバネ１３の弾性力に抗して縮む方向に相対移動し（換言すればスタンプボディ１０が被捺印面に接近する方向に移動し）、印面１２が被捺印面に接近するが、スタンプ１を被捺印面から離すとコイルばね１３の弾性力によってスタンプボディ１０とホルダカバー２０は再び離反し、ホルダ１１の印面装着部１８がホルダカバー２０の第１底部２３に当接する位置で固定される。なお、ホルダ１１の他端に設けられた印面装着部１８にはインクタンクを含む浸透印面１２が着脱可能に装着され、この浸透印面１２はホルダカバー２０内まで延在する。
【００１４】
ホルダカバー２０の開口部２１は、ホルダカバー２０内に設けられた蛇腹状シャッタ２２により開閉される。この蛇腹状シャッタ２２は、ホルダカバー２０内において開口部２１を閉塞する位置と開放する位置との間を摺動可能に設けられ（図示を省略するが、ホルダカバー２０の内面にシャッタ２２の側端部を把持するガイドが形成されている。）、蓋開閉機構３０により作動する。
【００１５】
本例の蓋開閉機構３０は、ホルダ１１の軸部に形成された第１ラック３１と、シャッタ２２の基部に形成された第２ラック３２と、ホルダカバー２０に軸支されたピニオン３３とから構成され、組立状態においてピニオン３３が第１ラック３１と第２ラック３２とに挟まれてこれらと噛み合うようになっている。そして、本例の蓋開閉機構３０は、シャッタ２２を、スタンプボディ１０とホルダカバー２０が図２に示す最大離反位置にある場合には開口部２１を全閉する位置に移動させ、スタンプボディ１０とホルダカバー２０とが接近するにしたがって開口部２１を徐々に開放する位置に移動させ、スタンプボディ１０とホルダカバー２０とが接近して図５に示す浸透印面１２が開口部２１から露出する場合には開口部２１を全開する位置に移動させる。
【００１６】
この動作を、図５を参照して説明すると、ピニオン３３はホルダカバー２０に軸支されているので当該ホルダカバー２０とともに相対移動するが、図５に示すようにホルダカバー２０の先端を被捺印面に押し当てた状態でスタンプボディ１０を被捺印面に向かってＡ方向に押し付けて移動させると、ホルダ１１はスタンプボディ１０に固定されているので第１ラック３１もＡ方向に直線移動し、これにより第１ラック３１と噛み合うピニオン３３がＢ方向に回転する。一方、シャッタ２２は、ホルダカバー２０に摺動可能に設けられているので、ピニオン３３がＢ方向に回転することによりこれと噛み合う第２ラック３２はＣ方向に直線移動することになる。その結果、シャッタ２２全体が開口部２１から後退するように摺動し、当該開口部２１を開放することになる。
【００１７】
これに対して、図５に示す状態からスタンプ１を被捺印面から離すと、コイルばね１３の弾性力によってスタンプボディ１０とホルダカバー２０とが離反しようとするが、このときピニオン３３はホルダカバー２０に軸支され、ホルダ１１はスタンプボディ１０に固定されているので、ホルダ１１がＡ方向と反対方向に移動することによりピニオン３３はＢ方向と反対方向に回転し、これにより第２ラック３３２が形成されたシャッタ２２はＣ方向と反対方向、すなわちシャッタ２２全体が開口部２１に対して前進するように摺動し、当該開口部２１を閉塞することになる。
【００１８】
なお、図１〜５において符号４０はクリップであって、本例のスタンプ１を洋服のポケットなどに止めるための部材である。また、符号５０はロックボタンであって、スタンプボディ１０に装着されて、図１に示すＸ方向にスライド可能に設けられている。そして、Ｘ方向の非ロック位置に移動するとホルダカバー２０に形成された溝部２５に沿って摺動し、スタンプボディ１０とホルダカバー２０との相対移動を許容するが、Ｘ方向のロック位置に移動するとロックボタン５０と溝部２５の位置が一致しないのでスタンプボディ１０とホルダカバー２０との相対移動が不能になる。これにより、本例のスタンプ１をポケットやカバンなどに入れておいても誤って印面１２が露出してポケットやカバンの中の物品を汚したりすることが防止できる。
【００１９】
以上のとおり、本例のスタンプ１によれば、浸透印面１２を閉塞する蓋を蛇腹状シャッタ２２で構成するとともに、このシャッタ２２を開閉する蓋開閉機構３０をスタンプボディ１０とホルダカバー２０との相対移動により作動するラック＆ピニオン３１〜３３で構成したので、回動式蓋に比べてシンプルな構造とすることができる。また、本例の蛇腹状シャッタ２２はホルダカバー２０の内部で動作するので、狭小な被捺印面であっても周囲の物品と干渉することなどなく、好適に捺印を行うことができる。さらに本例のスタンプ１では、ホルダカバー２０を透明な材料で構成しているので、被捺印面と印面１２との相対位置を目視で確認することができ、正確な位置に捺印することができる。
【００２０】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【符号の説明】
【００２１】
１…蓋開閉式浸透印面スタンプ
１０…スタンプボディ
１１…ホルダ
１２…浸透印面
１３…コイルバネ
１４…開放端
１５…閉塞端
１６…エンドキャップ
１７…通孔
１８…印面装着部
２０…ホルダカバー
２１…開口部
２２…シャッタ
２３…第１底部
２４…第２底部
２５…溝部
３０…蓋開閉機構
３１…第１ラック
３２…第２ラック
３３…ピニオン
４０…クリップ
５０…ロックボタン
【図１】
2015006773.tif 000003
【図２】
2015006773.tif 000004
【図３】
2015006773.tif 000005
【図４】
2015006773.tif 000006
【図５】
2015006773.tif 000007